(57)【特許請求の範囲】
【請求項１】
第１の励磁装置（６）を有し、第１の励磁装置（６）が第１の交流磁界（Ｂ）を発生しかつ第１のインダクタンスを有し、第１の交流磁界（Ｂ）によりキー（７）の第１のコーディング（９）が走査可能であるように構成されていて、第１のコーディング（９）により生じる、第１の励磁装置（６）の第１のインダクタンスの変化によって、第１のコーディング（９）が読み取られ、
キー（７）の挿入方向（１２）に相前後して配置された複数の第１の励磁装置（６ａ，６ｂ，６ｃ）を有し、それらの第１の励磁装置（６ａ，６ｂ，６ｃ）により第１のコーディング（９）が並列に読み取られるキースイッチ。
【請求項２】
第１の励磁装置（６）により、第１のコーディング（９）がキー（７）の挿入過程中に連続的に読み取られることを特徴とする請求項１記載のキースイッチ。
【請求項３】
第１の励磁装置（６）を有し、第１の励磁装置（６）が第１の交流磁界（Ｂ）を発生しかつ第１のインダクタンスを有し、第２の励磁装置（６’）を有し、第２の励磁装置（６’）が第２の交流磁界（Ｂ’）を発生しかつ第２のインダクタンスを有し、第１の交流磁界（Ｂ）によりキーの第１のコーディング（９）が走査可能であるように構成されていて、第１のコーディング（９）により生じる、第１の励磁装置（６）の第１のインダクタンスの変化によって、第１のコーディング（９）が読み取られ、第２の交流磁界（Ｂ’）によりキーの第２のコーディング（９’）が走査可能であるように構成されていて、第２のコーディング（９’）により生じる、第２の励磁装置（６’）の第２のインダクタンスの変化によって、第２のコーディング（９’）が読み取られ、第１および第２のコーディングが同時に読み取られ、第１のコーディング（９）によりキー挿入過程中におけるキー位置を求めることを特徴とする請求項１又は２に記載のキースイッチ。
【請求項４】
第１の励磁装置（６）がコイル（４）を巻装された継鉄（３）として構成されていることを特徴とする請求項１乃至３の１つに記載のキースイッチ。
【請求項５】
コイル（４）が平面コイルとして構成されていることを特徴とする請求項４記載のキースイッチ。
【請求項６】
第１のコーディング（９）が導電性のおよび／または磁化可能な材料からなることを特徴とする請求項１乃至５の１つに記載のキースイッチ。
【請求項７】
第１のコーディング（９）が２進コーディング、バーコーディング、多レベルコーディングまたはアナログコーディングとして構成されていることを特徴とする請求項１乃至６の１つに記載のキースイッチ。
【請求項８】
第２のコーディング（９’）がアナログコーディングとして構成されていることを特徴とする請求項１乃至７の１つに記載のキースイッチ。
【請求項９】
キー（７）の挿入のための開口（１４）を備えた前面板（１１）を有し、導電性でなくかつ磁化可能でない隔離要素（１３）が開口（１４）に配置されていて、隔離要素（１３）が開口（１４）を第１の励磁装置（６）から空間的に隔離することを特徴とする請求項１乃至８の１つに記載のキースイッチ。
【請求項１０】
キー（７）の挿入のための開口（１４）を備えた前面板（１１）を有し、導電性でなくかつ磁化可能でない隔離要素（１３）が開口（１４）に配置されていて、隔離要素（１３）が開口（１４）を第１および第２の励磁装置（６，６’）から空間的に隔離することを特徴とする請求項４乃至９の１つに記載のキースイッチ。
【請求項１１】
導電性でなくかつ磁化可能でない担持要素（８）を有し、担持要素（８）に導電性のおよび／または磁化可能な材料からなる第１のコーディング（９）が配置されて、
担持要素（８）上に導電性のおよび／または磁化可能な材料からなる第２のコーディング（９’）が装着されているキー。
【請求項１２】
第１のコーディングが、２進コーディング、バーコーディング、多レベルコーディングまたはアナログコーディングとして構成されていることを特徴とする請求項１１記載のキー。
【請求項１３】
第２のコーディングがアナログコーディングとして構成されていることを特徴とする請求項１１又は１２記載のキー。
【請求項１４】
第１のコーディング（９）が光不透過膜（３３）により覆われていることを特徴とする請求項１１、１２、または１３記載のキー。
【請求項１５】
第２のコーディング（９’）が光不透過膜（３３）により覆われていることを特徴とする請求項１１、１２、１３または１４記載のキー。
【請求項１６】
複数のアクセスコードを有し、１つのアクセスコードと読み取られた第１および／または第２のコーディングとの一致時に、アクセスコードに依存してその都度のアクセスコードに付属したアクセス信号を出力することを特徴とする請求項３乃至１０の１つに記載のキースイッチ。
【請求項１７】
操作装置が請求項１乃至１０の１つに記載のキースイッチを有する自動化技術による機械および／または施設の操作のための操作装置。
【発明の詳細な説明】
【技術分野】
【０００１】
本発明は、キースイッチおよびキースイッチに付属した対応キーに関する。
【背景技術】
【０００２】
自動化技術においては、施設および／または機械における特定の操作を特定の使用者に制限するために、しばしばキースイッチが使用される。
【０００３】
図１には、通例の機械的なキースイッチ２を有する例えば工作機械、生産機械および／またはロボットのような自動化技術からの機械の操作のための通常の操作装置１が示されている。機械的なキースイッチの場合にはキーが機械的に走査される。しかしながら、機械的なキースイッチは、自動化環境においてしばしば発生する一般に液体、塵埃粒子または侵食的なガスの形で存在する汚れがキースイッチを介して操作装置内に入り込み、そこにおいて誤動作をもたらすことがあるという欠点を有する。更にキースイッチの機構自体も損傷することがある。
【０００４】
更に、機械的なキースイッチが機械的に移動する構成部分に起因して摩耗の影響下にあり、かつ比較的簡単に操作することができる。
【０００５】
キースイッチの代わりに、例えば無接触ＲＦＩＤシステム（無線ＩＣタグ）のような他の識別システムも使用される。しかしながら、これらのシステムは比較的贅沢で高価である。
【発明の概要】
【発明が解決しようとする課題】
【０００６】
本発明の課題は、摩耗のないキー走査を可能にするキースイッチを提供することにある。
【課題を解決するための手段】
【０００７】
この課題は、キースイッチが第１の励磁装置を有し、第１の励磁装置が第１の交流磁界を発生しかつ第１のインダクタンスを有し、第１の交流磁界によりキーの第１のコーディングが走査可能であるようにキースイッチが構成されていて、第１のコーディングが第１の励磁装置の第１のインダクタンスの変化を生じさせ、そのようなやり方で第１のコーディングがキースイッチによって読み取られる。
【０００８】
更に、この課題は、キーが導電性でなくかつ磁化可能でない担持要素を有し、この担持要素に導電性のおよび／または磁化可能な材料からなる第１のコーディングが配置されているキースイッチに付属のキーによって解決される。
【０００９】
第１の励磁装置により、第１のコーディングがキーの挿入過程中にキースイッチによって直列に連続的に読み取られるならば有利であることが分かった。これによって、キーの第１のコーディングの読み取りのために唯一の第１の励磁装置しか必要とされない。
【００１０】
更に、キースイッチがキーの挿入方向に相前後して配置された多数の第１の励磁装置を有し、それらの第１の励磁装置により第１のコーディングがキースイッチによって並列に読み取られるならば有利であることが分かった。これによって、第１のコーディングの高速かつ特に高信頼性の読み取りが可能にされる。
【００１１】
更に、キースイッチが第１の励磁装置を有し、この第１の励磁装置が第１の交流磁界を発生しかつ第１のインダクタンスを有し、このキースイッチが第２の励磁装置を有し、第２の励磁装置が第２の交流磁界を発生しかつ第２のインダクタンスを有し、第１の交流磁界によりキーの第１のコーディングが走査可能であるようにキースイッチが構成されていて、第１のコーディングが第１の励磁装置の第１のインダクタンスの変化を生じさせ、そのようなやり方で第１のコーディングがキースイッチによって読み取られ、第２の交流磁界によりキーの第２のコーディングが走査可能であるようにキースイッチが構成されていて、第２のコーディングが第２の励磁装置の第２のインダクタンスの変化を生じさせ、そのようなやり方で第２のコーディングがキースイッチによって読み取られ、第１および第２のコーディングが同時に読み取られ、キースイッチが、第１のコーディングによりキー挿入過程中におけるキースイッチ内でのキー位置を求めるならば有利であることが分かった。２つのコーディングの使用によって、キースイッチの許容された操作に対する特に高い安全性が保証される。
【００１２】
更に、第１の励磁装置がコイルを巻装された継鉄として構成されているならば有利であることが分かった。これは、第１の励磁装置の特に簡単な実現を意味する。
【００１３】
更に、コイルが平面コイルとして構成されているならば有利であることが分かった。コイルを平面コイルとして実現することは、特に簡単に製作可能なコイル実現様式である。
【００１４】
更に、第１のコーディングが導電性のおよび／または磁化可能な材料からなるならば有利であることが分かった。導電性のおよび／または磁化可能な材料は交流磁界に良好に影響を与える。
【００１５】
更に、第１のコーディングが２進コーディング（論理「１」及び論理「０」の一方に対応する範囲が装着され、他方に対応する範囲が装着されていないコーディングをいう。）、バーコーディング（バーコードが装着されたコーディングをいう。）、多レベルコーディング（多数の段階を有する範囲が装着されたコーディングをいう。）またはアナログコーディング（アナログ状に装着されたコーディングをいう。）として構成されているならば有利であることが分かった。なぜならばこれらのコーディングは簡単に実現することができるからである。
【００１６】
更に、第２のコーディングがアナログコーディングとして構成されているならば有利であることが分かった。これによって、キースイッチの操作に対する特に高い安全性が達成される。
【００１７】
更に、キースイッチが、キーの挿入のための開口を備えた前面板を有し、キースイッチの内側に導電性でなくかつ磁化可能でない隔離要素が開口に配置されていて、この隔離要素が開口を第１の励磁装置から空間的に隔離するならば有利であることが分かった。これによって、キースイッチ内およびキースイッチを通した操作装置内部への汚れの侵入が高い信頼性をもって阻止される。
【００１８】
更に、キースイッチが、キーの挿入のための開口を備えた前面板を有し、キースイッチの内側に導電性でなくかつ磁化可能でない隔離要素が開口に配置されていて、この隔離要素が開口を第１および第２の励磁装置から空間的に隔離するならば有利であることが分かった。これによって、キースイッチ内およびキースイッチを通した操作装置内部への汚れの侵入が高い信頼性をもって阻止される。
【００１９】
更に、担持要素上に導電性のおよび／または磁化可能な材料からなる第２のコーディングが装着されているならば有利であることが分かった。２つのコーディングの使用によって、キーの許容されない操作に対する特に高い安全性が保証される。
【００２０】
更に、第１のコーディングが、２進コーディング、バーコーディング、多レベルコーディングまたはアナログコーディングとして構成されているならば有利であることが分かった。なぜならば、これらのコーディングは間単に実現することができるからである。
【００２１】
更に、第２のコーディングがアナログコーディングとして構成されているならば有利であることが分かった。これによって、キースイッチの操作に対する特に高い安全性が達成されるからである。
【００２２】
更に、第１のコーディングが光不透過膜により覆われているならば有利であることが分かった。これによって、キーの模造が困難になる。
【００２３】
更に、第２のコーディングが光不透過膜により覆われているならば有利であることが分かった。これによって、キーの模造が困難になる。
【００２４】
更に、キースイッチが多数のアクセスコードを有し、キースイッチが、１つのアクセスコードと読み取られた第１および／または第２のコーディングとの一致時に、アクセスコードに依存してその都度のアクセスコードに付属したアクセス信号を出力するならば有利であることが分かった。これによって、例えば標準使用者が持っているキーにより標準用途のみが自由に投入可能であるのに対して、専門家のみが持っている他のキーにより、例えば熟練者のみによって実行されなければならない危険な操作行為が自由に投入可能である。
【００２５】
更に、本発明によるキースイッチを有する自動化技術による機械および／または施設の操作のための操作装置を提供することが有利であることがわかった。
【図面の簡単な説明】
【００２６】
【図１】図１は従来技術から知られている機械的なキースイッチを有する操作装置を示す前面図である。
【図２】図２はキー挿入過程中にコーディングがキースイッチによって直列に連続的に読み取られる本発明の第１の実施例を示す概略図である。
【図３】図３はキースイッチの開口からキースイッチの電子装置を隔離するための隔離要素を示す概略図である。
【図４】図４は多レベルコーディングを有するキーを示す概略図である。
【図５】図５は多レベルコーディングを評価するための評価ユニットを示すブロック図である。
【図６】図６は２進コーディングを有するキーの並列読み取りのための他の本発明実施例を示す概略図である。
【図７】図７はコーディングの並列評価のための評価ユニットを示すブロック図である。
【図８】図８は２つのコーディングを有するキーのための他の本発明実施例を示す概略図である。
【図９】図９は２つのコーディングを有するキーのための評価ユニットを示すブロック図である。
【図１０】図１０はバーコーディングを有するキーの概略図である。
【図１１】図１１は光不透過膜によりコーディングが覆われているキーを示す概略図である。
【発明を実施するための形態】
【００２７】
本発明の多数の実施例を図面に示し、以下において更に詳細に説明する。
【００２８】
図２には概略図の形で本発明の第１の実施例が示され、主としてキースイッチの電気的な構成要素が示されている。キースイッチは第１の励磁装置６を有する。励磁装置６は第１の交流磁界Ｂを発生し、例えば数ミリヘンリーの第１のインダクタンスＬを有する。励磁装置６は、実施例の枠内において平面コイル４として構成されているコイルと、実施例の枠内においてフェライトからなるとりわけ馬蹄形の継鉄３とからなる。励磁装置６、すなわち継鉄３と一緒にした平面コイル４は、既に述べたように第１のインダクタンスＬを有する。平面コイル４は、プリント回路基板５上に評価ユニット１０と一緒に配置されている。評価ユニット１０が交流電圧Ｕrを発生し、それによって、
Ｉ＝Ｕr／（２πｆＬ）
Ｌ：インダクタンス
ｆ：交流電流の周波数
なる関係にしたがって、交流電流Ｉが平面コイル４を通して流れる。したがって、平面コイル４は継鉄３と協力して交流磁界Ｂ、すなわち時間的に変化する磁界を発生する。
【００２９】
図２の上部には、キースイッチに付設された対応キー７が示されている。キー７は導電性でなくかつ磁化可能でない担持要素８からなり、担持要素８上に導電性のおよび／または磁化可能な材料からなるコーディングが装着されている。キースイッチへのキーの挿入過程中に（これが矢印１２で示されている。）、キー７に装着されている第１のコーディング９が第１の交流磁界Ｂにより走査されることによって、第１のコーディング９が連続的にキースイッチによって読み取られる。この場合に、第１のコーディング９が、図２による表示においては、継鉄３を貫通案内され、したがって交流磁界を貫通案内される。第１のコーディング９は、第１の励磁装置６の第１のインダクタンスＬの変化を生じさせ、そのようなやり方で第１のコーディング９がキースイッチによって読み取られる。第１のコーディング９が、既に述べたように、励磁装置６のインダクタンスＬの変化を生じさせ、それによって電流Ｉが変化し、これが評価装置１０によって評価される。このために、評価ユニット１０は、既に述べたようにキースイッチへのキーの挿入時に第１のコーディングに応じて変化する交流電流Ｉを測定する。第１の実施例では、第１のコーディング９が多レベルコーディングとして構成されている。
【００３０】
図２には主としてキースイッチの電子装置が示されているのに対して、図３には主としてキースイッチの受動的な構成部分が示されている。キースイッチは、キー７の挿入のための開口１４を有する前面板１１を有する。キー７の挿入時にキーが開口１４を通して案内され、これが矢印１２にて示されている。キースイッチの内側において、キースイッチは導電性でないかつ磁化可能でない隔離要素１３を有する。隔離要素１３は、開口に配置されていて、キー７を第１の励磁装置から空間的に完全に隔離する。この隔離要素１３は、この実施例においては、直方体状の中空体として構成されていて、この中空体の空洞は開口１４の方向の上に向けてのみ開かれている。そのようなやり方で隔離要素１３は袋状の穴を成している。したがって、開口１４を通して侵入する汚れ物質が、この穴を通してキースイッチの図２に示されている電子装置に向かって更に進入することはない。この場合に、隔離要素１３が開口１４を励磁装置から気密に隔離するとよい。隔離要素１３は馬蹄形の継鉄３を貫通して配置されている。
【００３１】
図４には、多レベルコーディングとして構成されている第１のコーディング９を有するキー７が詳細に示されている。２進コーディングと違って、多レベルコーディングは多数の段階を有する。これらの段階は超過時に評価ユニット１０によって評価される。実施例においては、これは、リセット（ｒｅｓｅｔ）、クロック（ｃｌｏｃｋ）、データ（ｄａｔａ）および準備完了（ｒｅａｄｙ）なる４つの段階であり、これらは第１のコーディング９の図４における栓形状の特定の高さに対応する。
【００３２】
図５には、多レベルコーディングに付属した評価ユニットが詳細に示されている。評価ユニット１０は、交流電圧Ｕrを発生する励磁ユニット１６を有する。既に述べたように、平面コイル４を通る電流が生じる。第１の励磁装置６は数ミリヘンリーのインダクタンスＬを有し、このインダクタンスは第１のコーディング９が磁界Ｂを通り抜ける際に変化する（変化するインダクタンスＬが図５には斜めの矢印を有する黒く塗った矩形によって象徴的に示されている）。これによって、相応に交流電流Ｉが変化し、この交流電流Ｉが励磁ユニット１６によって測定される。第１のコーディング９が、そのようなやり方で、交流磁界Ｂにより誘導的に走査される。励磁ユニット１６は、出力側に、変化する電流Ｉに応じて、したがって変化するインダクタンスＬにしたがって、相応に変化する出力電圧Ｕ（Ｌ）を発生する。出力電圧Ｕ（Ｌ）は、コンパレータ１７，１８，１９および２０を介して、異なる電圧Ｕ１，Ｕ２，Ｕ３およびＵ４と比較される。電圧Ｕ（Ｌ）が電圧Ｕ１を上回ると、信号ｒｅａｄｙが論理「１」にセットされる。電圧Ｕ（Ｌ）が電圧Ｕ２を上回ると、信号ｄａｔａが論理「１」にセットされる。電圧Ｕ（Ｌ）が電圧Ｕ３を上回ると、信号ｃｌｏｃｋが論理「１」にセットされる。電圧Ｕ（Ｌ）が電圧Ｕ４を上回ると、信号ｒｅｓｅｔが論理「１」にセットされる。
【００３３】
キーが挿入されていない場合に、信号ｒｅｓｅｔがシフトレジスタをなすフリップフロップ２５〜２９をリセットする。図４によるキーの挿入時に、キー７の第１の歯ｂ０が信号ｄａｔａを介してフリップフロップ３４のセットをもたらす。歯の戻りエッジが信号ｃｌｏｃｋの立下りエッジをもたらし、これがフリップフロップ３４からシフトレジスタのフリップフロップ２５へのデータビットの引き継ぎをもたらす。キーの次の歯ｂ１はフリップフロップ３４のセットをもたらさないので、直ぐ次の歯の戻りエッジでは０がシフトレジスタのフリップフロップ２５へ引き継がれ、同時にｂ０がシフトレジスタにおいてフリップフロップ２５からフリップフロップ２６に向かって更にシフトされる。
【００３４】
キーが完全に押し入れられたならば、信号ｒｅａｄｙの立上りエッジがコード検査器３１のブロックを解除する。シフトレジスタにおける全てのビットが正しい値を持つ場合に、コード検査器３１の出力Ｚが「１」にセットされ、それにともなってキーの正当性が通報される。
【００３５】
キーが少しだけでも引き抜かれるや否や、信号ｒｅａｄｙの立下りエッジがコード検査を阻止するフリップフロップ３０のセットをもたらす。キーの完全な引き出し後にはじめて、信号ｒｅｓｅｔが阻止フリップフロップ３０を再びリセットする。
【００３６】
図６には、第１のコーディングの並列読取を可能にする本発明の実施例が示されている。唯一の励磁装置６のみが必要とされる図２に示された第１のコーディングの直列読取と違って、並列読取の場合には多数の第１の励磁装置を必要とする。図６に示された実施例では、キースイッチは、３つの第１の励磁装置６ａ，６ｂ，６ｃを有し、各励磁装置は、それぞれ、付属の平面コイル４ａ，４ｂ，４ｃと付属の継鉄３ａ，３ｂ，３ｃとを有する。この場合に、第１の励磁装置のそれぞれに関する動作態様は、図２に示して説明した第１の励磁装置６と同一であり、評価ユニット１０は同じように電流Ｉ1およびＩ2およびＩ3を評価し、これが詳しくは図７に示されている。更に図６の上部にはキー７が示され、キー７の担持要素８の上には第１のコーディング９が装着されていて、この第１のコーディングは２進コーディングとして構成されている。このために第１のコーディング９は、後で第１の励磁装置がキーを走査する位置に導電性のおよび／または磁化可能な範囲を有するか、または該当個所にこのような範囲が装着されていないかのいずれかであり、これが図６には破線表示で示されている。装着される範囲は、例えば論理「１」に対応するのに対して、装着されていない範囲は、例えば論理「０」に対応し、あるいは逆の対応関係である。
【００３７】
図７には並列読取に付属した評価ユニット１０が示されている。第１の励磁装置６ａはインダクタンスＬ1を有し、第１の励磁装置６ｂはインダクタンスＬ2を有し、第１の励磁装置６ｃはインダクタンスＬ3を有する。インダクタンスＬ1，Ｌ2，Ｌ3は、またもやキー７の第１のコーディング９に応じて変化する。励磁ユニット１６が交流電圧Ｕr1，Ｕr2，Ｕr3を発生するので、変化するインダクタンスＬ1，Ｌ2，Ｌ3に応じて交流電流Ｉ1，Ｉ2，Ｉ3が変化し、これが励磁ユニット１６において評価される。励磁ユニット１６は、変化するインダクタンスＬ1，Ｌ2，Ｌ3に応じて、インダクタンスＬ1，Ｌ2，Ｌ3にその都度付属する電圧Ｕ1（Ｌ1），Ｕ2（Ｌ2），Ｕ3（Ｌ3）を発生し、これらの電圧がコンパレータ２４に入力量として供給される。その際に、コンパレータ２４は３つの電圧Ｕ1（Ｌ1），Ｕ2（Ｌ2），Ｕ3（Ｌ3）を内部の基準電圧と比較し、例えば基準電圧を上回った際に論理「１」またはその代替として論理「０」を発生する。３つの電圧Ｕ1（Ｌ1），Ｕ2（Ｌ2），Ｕ3（Ｌ3）のそれぞれが、そのようなやり方で内部の基準電圧と比較され、相応に並列に２進の出力信号ｂ０，ｂ１，ｂ２を発生する。これらは比較器２５に入力量として供給され、比較器２５はこれらの入力量を、この実施例ではアクセスコードである２進数ｃ０，ｃ１，ｃ２と比較する。一致時にアクセス信号Ｚが、比較器２５の出力側で論理「１」にセットされ、それにともなってキーを適合していると認識する。アクセス信号Ｚは、後で、例えばリレーの制御のために用いることができ、あるいは、例えば操作装置および／または制御および／または調節装置によって直接的に読み取ることができる。
【００３８】
図８には、連続的に２つのコーディングが同時に読み取られる他の本発明実施例が示されている。
【００３９】
この場合には、キー７の担持要素８上に、第１のコーディング９および第２のコーディング９’がキーの両側に装着されている。第１のコーディング９および第２のコーディング９’は、この実施例では、アナログコーディングとして構成されている。第１のコーディング９が、キーの挿入過程中におけるキースイッチ内でのキーの現在位置の認識のための位置軌跡として構成されているのに対して、第２のコーディング９’が任意の曲線の形で存在する。動作態様からは、図８による実施形態は図２による実施形態に相当する。しかし、図２による実施形態と違って、第２の平面コイル４’および第２の継鉄３’を有する第２の励磁装置６’が存在する。この場合には第１のコーディング９および第２のコーディング９’が同時に読み取られ、キースイッチへのキーの挿入中に第１のコーディング９に基づいて、どの位置にちょうどキーが存在するかが認識され、それにともなって第２のコーディング９’が対応して評価され得る。第１のコーディング９は、いわばビット番号の情報を含んでいるのに対して、第２のコーディング９’は付属のビット値を含んでいる。
【００４０】
そのほかは、この動作態様は図２に示された実施形態に相応し、評価ユニット１０は第１の励磁装置６および第２の励磁装置６’の交流電流ＩおよびＩ’を同時に処理する。
【００４１】
図９には、図８による実施形態に付属した評価ユニット１０が示されている。第１の励磁装置６が、キーの挿入時に変化するインダクタンスＬを有するのに対して、第２の励磁装置６’がキーの挿入時において可変のインダクタンスＬ’を有する。既に説明した先行例に類似して、励磁装置１６は２つの電圧ＵrおよびＵr’を発生し、それによってそれぞれ付属の平面コイル４および４’を通る両交流電流ＩおよびＩ’が生じる。出力側において励磁ユニット１６が、キー挿入時に変化するインダクタンスＬおよびＬ’に応じて、変化する交流電流ＩおよびＩ’並びに、電圧Ｕ（Ｌ）およびＵ（Ｌ’）’を発生する。電圧Ｕ（Ｌ）は第１のコーディング９を模擬するのに対して、出力電圧Ｕ（Ｌ’）’は第２のコーディング９’を模擬する。両電圧Ｕ（Ｌ）およびＵ（Ｌ’）’はデコーダ３２によって評価される。デコーダ３２は電圧Ｕ（Ｌ）およびＵ（Ｌ’）’を読み込んで両電圧を互いに結合し、第１のコーディングがビット番号（位置情報）を供給するのに対して第２のコーディングがビット番号に付属したビット値を供給する。そのようなやり方で、デコーダ３２は、第１のコーディング９からビット番号を取り出し、第２のコーディング９’からは、付属のビット値を取り出すことができる。出力側において、デコーダ３２は、そのようなやり方で求められた対応するビットｂ０，ｂ１，ｂ２を出力し、これらのビットは、その後で比較器２５により、例えば個別ビットの形で存在するアクセスコードｃ０，ｃ１，ｃ２と比較される。一致時に比較器２５によってアクセス信号Ｚが論理「１」にセットされる。この場合に、第１のコーディング９および第２のコーディング９’は定量的に評価されるとよい。すなわち、例えば第２のコーディング９’がある位置である特定の高さを上回ったときに論理「１」が認識され、ある特定の高さを下回ったときに論理「０」の判定が下され、あるいはその逆が成される。
【００４２】
図１０にはキー７の他の実施形態が示されている。この実施形態では担持要素８上に第１のコーディング９がバーコーディングの形で装着されている。バーコーディングの評価は、例えば図２および図５に示された評価ユニット１０により行なうことができるが、しかし励磁ユニット１６から出力側に出力される電圧Ｕ（Ｌ）がバーコードのデコードを行なう後続のバーデコーダによって評価され、しかる後にそのようなやり方でデコードされたバーコードが比較器によりアクセスコードと比較される。一致時に、ここでも、比較器の出力端におけるアクセス信号Ｚが論理「１」にセットされる。
【００４３】
図１１には、先行する既述の考えられ得る全てのキーについて、全ての既述のコーディングにおいて適用可能であるキーの有利な実施形態が図式化されている。図１１によるキーにおいては、本発明にしたがって、コーディングは光不透過性の膜３３により覆われているので、コーディングが外側からはもはや光学的に認識可能でない。これによって、キーの模造が困難にされる。その他の点では、図１１による複数のキーは先行する既述の複数のキーに対応する。したがって、同じ要素には、先行する図におけると同じ符号が付されている。
【００４４】
本発明によるキースイッチによって、汚れに対する高い保護様式を実現することができる。更に、コーディングの走査が摩耗なしに行なわれ、このことがキースイッチおよびキーの高寿命を可能にする。更に、このキースイッチは僅かなスペースしか必要としない。キースイッチは専ら交流磁界を介してコーディングを読み取るので、キースイッチは、例えば無線送信システムから出る電磁妨害に対する高い障害抵抗力を有する。更に、操作安全性が非常に高い。更に、このキースイッチは、簡単に、例えばソフトウェアにより種々のキーに対してパラメータ化可能である。更に、キー機能と電気機械の開閉機能とを複合化することができる。
【００４５】
更に、種々のコーディングを有する種々のキーにより種々の操作行為を、可能にすることができる。例えば、標準使用者が持っているキーにより標準用途のみが実行され、これに対して専門家のみが持っている他のキーにより、例えば、熟練者のみによって実行されなければならない危険な操作行為が実行可能となる。このために、例えばキースイッチが、例えば並列接続された多数のコード検査器３１および／または比較器２５を有することができ、これらのコード検査器３１および／または比較器２５が、それぞれ異なるアクセスコードを検査しかつそれぞれ付属のアクセス信号を出力する。
【符号の説明】
【００４６】
３          第１の継鉄
３’        第２の継鉄
４          第１の平面コイル
４’        第２の平面コイル
５          プリント回路基板
６          第１の励磁装置
６’        第２の励磁装置
７          キー
８          担持要素
９          第１のコーディング
９’        第２のコーディング
１０        評価ユニット
１１        前面板
１２        矢印
１３        隔離要素
１４        開口
１６        励磁ユニット
１７        コンパレータ
１８        コンパレータ
１９        コンパレータ
２０        コンパレータ
２５        フリップフロップ
２５        比較器
２６        フリップフロップ
２７        フリップフロップ
２８        フリップフロップ
２９        フリップフロップ
３０        フリップフロップ
３１        コード検査器
３３        光不透過膜
３４        フリップフロップ
Ｂ          交流磁界
Ｂ’        交流磁界
Ｉ          交流電流
Ｉ’        交流電流
Ｌ          インダクタンス
Ｕr        交流電圧
Ｕr’      交流電圧
Ｕ（Ｌ）    出力電圧
Ｕ（Ｌ’）’出力電圧
Ｚ          アクセス信号
【図１】
0005111428.tif 000002
【図２】
0005111428.tif 000003
【図３】
0005111428.tif 000004
【図４】
0005111428.tif 000005
【図５】
0005111428.tif 000006
【図６】
0005111428.tif 000007
【図７】
0005111428.tif 000008
【図８】
0005111428.tif 000009
【図９】
0005111428.tif 000010
【図１０】
0005111428.tif 000011
【図１１】
0005111428.tif 000012